(57)【要約】【課題】物が衝き当たることによって椅子の座などのフレーム若しくはインナーシェルを覆う張地に与えられる損傷を軽減して張地の破れを防止することを可能にする。【解決手段】張力が付与された状態で椅子の構成部品の枠体３を覆うと共に縁端に取り付けられた縁端部材１を枠体３に設けられた嵌合部３ａに嵌め合わせて係止することによって枠体３を覆う張地２の保護構造であって、縁端部材１が硬質部１ａと軟質部１ｂとからなり、枠体３に取り付けられた状態の張地２の裏面の縁端に縁端部材１の軟質部１ｂが張地２の内側を向くように硬質部１ａが取り付けられ、枠体３を覆うと共に硬質部１ａを嵌合部３ａに嵌め合わせて張地２を取り付けた状態において椅子の使用状態で少なくとも外物と衝き当たる部分では張地２と枠体３との間に軟質部１ｂを介在させるようにした。【選択図】図１
2010119438.tif 000002
【特許請求の範囲】
【請求項１】
張力が付与された状態で椅子の構成部品の枠体を覆うと共に縁端に取り付けられた縁端部材を前記枠体に設けられた嵌合部に嵌め合わせて係止することによって前記枠体を覆う張地の保護構造であって、前記縁端部材が硬質部と軟質部とからなり、前記枠体に取り付けられた状態の前記張地の裏面の縁端に前記縁端部材の軟質部が前記張地の内側を向くように少なくとも前記硬質部が取り付けられ、前記枠体を覆うと共に前記硬質部を前記嵌合部に嵌め合わせて前記張地を取り付けた状態において前記椅子の使用状態で少なくとも外物と衝き当たる部分では前記張地と前記枠体との間に前記軟質部を介在させることを特徴とする椅子の張地の保護構造。
【請求項２】
前記硬質部と前記軟質部とが一体成形されていることを特徴とする請求項１記載の椅子の張地の保護構造。
【請求項３】
前記硬質部と前記軟質部との接触面が円弧形状をしていることを特徴とする請求項１記載の椅子の張地の保護構造。
【請求項４】
前記硬質部が細長薄板状をなしていると共に前記嵌合部が細長薄板を嵌め込む凹溝であることを特徴とする請求項１記載の椅子の張地の保護構造。
【発明の詳細な説明】
【技術分野】
【０００１】
本発明は、椅子の張地の保護構造に関する。さらに詳述すると、本発明は、椅子の座や背凭れ等の椅子の構成部品を覆う張地を保護する構造に関する。
【背景技術】
【０００２】
椅子の座や背凭れを覆う張地の取り付け構造として従来からよく用いられているものとして、図６に示すように、張力を付与すると共に座１０３並びに背凭れ１０４のフレーム１０１のおもて面を覆ってフレーム１０１に被せたネット部材１０２の周縁をフレーム１０１に巻き付けて取り付けるようにするものがある（特許文献１）。そして、このような張地の取り付け構造におけるネット部材１０２のフレーム１０１への固定の仕方としては、例えば、図７に示すように、ネット部材１０２の周縁端に取り付けられた縁端部材１０５をフレーム１０１の外側面に設けられた凹溝１０１ａに嵌め入れて係止する方法がある。
【０００３】
【特許文献１】特開２００６−１１０００１号
【発明の開示】
【発明が解決しようとする課題】
【０００４】
しかしながら、特許文献１の張地の取り付け構造では、椅子の座や背凭れのフレームとして十分な強度を有する硬質のフレームに張地が被せられるので、硬質であって特に凸部を有する外物が衝き当たると当該外物とフレームとに挟まれることになる張地に大きなダメージが与えられる。したがって、椅子の使用中に座の縁部が例えば机の足・支柱に何度もぶつかったり背凭れの縁部が例えば机の天板の周縁に何度もぶつかったりすることによって張地が損傷してほつれや破れが発生してしまう。しかも、椅子の座などに張地を被せる場合には特許文献１の張設構造のように張地に張力を与えて被せるので僅かな損傷によって強度が少しでも落ちた箇所からほつれや破れが発生し急激に拡がってしまう。そして、椅子の構成部品表面の張地のこのような損傷によって外観が大きく損なわれると共に製品としての寿命が短くなってしまう。
【０００５】
そこで、本発明は、外物が衝き当たることによって椅子の座などのフレーム若しくはインナーシェルを覆う張地に与えられる損傷を軽減して張地の破れを防止することができる椅子の張地の保護構造を提供することを目的とする。なお、以下においては、椅子の座や背凭れ等の構成部品のフレーム若しくはインナーシェルのことを枠体と呼ぶ。
【課題を解決するための手段】
【０００６】
かかる目的を達成するため、請求項１記載の椅子の張地の保護構造は、張力が付与された状態で椅子の構成部品の枠体を覆うと共に縁端に取り付けられた縁端部材を枠体に設けられた嵌合部に嵌め合わせて係止することによって枠体を覆う張地の保護構造であって、縁端部材が硬質部と軟質部とからなり、枠体に取り付けられた状態の張地の裏面の縁端に縁端部材の軟質部が張地の内側を向くように少なくとも硬質部が取り付けられ、枠体を覆うと共に硬質部を嵌合部に嵌め合わせて張地を取り付けた状態において椅子の使用状態で少なくとも外物と衝き当たる部分では張地と枠体との間に軟質部を介在させるようにしている。
【０００７】
したがって、この椅子の張地の保護構造によると、枠体に張地を直接被せて取り付ける構造であっても、張地と枠体との間に軟質の部材を介在させるようにしているので、外物が衝き当たった場合には当該軟質の部材が緩衝部材として機能して変形し（具体的には凹んで）衝撃を吸収して外物と枠体とに挟まれる張地に与えられるダメージが軽減される。
【０００８】
また、この椅子の張地の保護構造によると、椅子の構成部品の枠体を覆うと共に枠体に設けられた嵌合部に縁端部材を嵌め合わせて係止することによって張地を取り付ける場合に枠体にもともと必要とされる構成のみによって、すなわち枠体には特別な加工や仕組みを必要とすることなく、張地を保護する構造が構成される。
【０００９】
また、この椅子の張地の保護構造によると、椅子の構成部品の枠体を覆うと共に枠体に設けられた嵌合部に縁端部材を嵌め合わせて係止することによって張地を取り付ける場合にもともと必要とされる工程のみによって、すなわち新たな工程を必要とすることなく、張地を保護する構造が構成される。
【００１０】
さらに、着座者が座に座ったり背凭れに凭れたりすると張地に荷重がかかって張地と枠体との接触部には摩擦が発生することになるが、本発明の椅子の張地の保護構造によると、張地と枠体との間に軟質の部材を介在させるようにしているので、張地に荷重がかかった場合には当該軟質の部材が凹むことによって摩擦力が低減する。
【００１１】
また、請求項２記載の発明は、請求項１記載の椅子の張地の保護構造において、硬質部と軟質部とが一体成形されているようにしている。この場合には、椅子の構成部品の枠体を覆うと共に枠体に設けられた嵌合部に縁端部材を嵌め合わせて係止することによって張地を取り付ける場合にもともと必要とされる部材のみによって、すなわち新たな部材を必要とすることなく、張地を保護する構造が構成される。
【００１２】
また、請求項３記載の発明は、請求項１記載の椅子の張地の保護構造において、硬質部と軟質部との接触面が円弧形状をしているようにしている。この場合には、硬質部と軟質部との接触面積が増加する。
【００１３】
また、請求項４記載の発明は、請求項１記載の椅子の張地の保護構造において、硬質部が細長薄板状をなしていると共に嵌合部が細長薄板を嵌め込む凹溝であるようにしている。この場合には、硬質部及び嵌合部の成形並びに張地の取り付け作業を比較的容易にすることができる。
【発明の効果】
【００１４】
請求項１記載の椅子の張地の保護構造によれば、外物が衝き当たった場合には軟質の部材が緩衝部材として機能し変形して衝撃を吸収することにより外物と枠体とに挟まれる張地に与えられるダメージを軽減することができるので、張地の破れを防止して椅子の耐久性を向上させて良好な外観と快適な使用とを長期に亘って継続することが可能になる。
【００１５】
また、請求項１記載の椅子の張地の保護構造によれば、枠体には特別な加工や仕組みを必要とすることなく、すなわち従来と同様の枠体を用いて張地を保護する構造を構成することができるので、汎用性が高い。
【００１６】
また、請求項１記載の椅子の張地の保護構造によれば、枠体に張地を取り付けるためにもともと必要とされる工程に対して新たな工程を必要とすることなく、すなわち工程・手間はそのままで張地を保護する構造を構成することができるので、汎用性が高い。
【００１７】
さらに、請求項１記載の椅子の張地の保護構造によれば、張地と枠体との間に介在する軟質の部材が凹むことによって摩擦力を低減することができるので、この点からも、張地の破れを防止して椅子の耐久性を向上させて良好な外観と快適な使用とを長期に亘って継続することが可能になる。
【００１８】
また、請求項２記載の椅子の張地の保護構造によれば、枠体に張地を取り付けるためにもともと必要とされる部材に対して新たな部材を必要とすることなく、すなわち部品点数はそのままで張地を保護する構造を構成することができるので、汎用性が高い。
【００１９】
また、請求項３記載の椅子の張地の保護構造によれば、硬質部と軟質部との接触面積が増加するので、両者の結合力を高めて両者がはがれてしまうことを防止することができる。
【００２０】
また、請求項４記載の椅子の張地の保護構造によれば、硬質部及び嵌合部の成形並びに張地の取り付け作業を比較的容易にすることができるので、手間の軽減を図ることができる。
【発明を実施するための最良の形態】
【００２１】
以下、本発明の構成を図面に示す最良の形態に基づいて詳細に説明する。
【００２２】
図１及び図２に、本発明の椅子の張地の保護構造の実施形態の一例を示す。この椅子の張地の保護構造は、張力が付与された状態で椅子の構成部品の枠体３を覆うと共に縁端に取り付けられた縁端部材１を枠体３に設けられた嵌合部３ａに嵌め合わせて係止することによって枠体３を覆う張地２の保護構造であって、縁端部材１が硬質部１ａと軟質部１ｂとからなり、枠体３に取り付けられた状態の張地２の裏面の縁端に縁端部材１の軟質部１ｂが張地２の内側を向くように硬質部１ａが取り付けられ、枠体３を覆うと共に硬質部１ａを嵌合部３ａに嵌め合わせて張地２を取り付けた状態において椅子の使用状態で少なくとも外物と衝き当たる部分では張地２と枠体３との間に軟質部１ｂを介在させるようにしている。
【００２３】
なお、本発明は、椅子の座，背凭れ，ヘッドレスト，肘掛け等の構成部品に張地を取り付ける場合に適用可能である。具体的には例えば図６に示す椅子の座１０３や背凭れ１０４のフレーム１０１のおもて面を張地（図７においては符号１０２）で覆う場合に適用可能である。
【００２４】
縁端部材１は、本実施形態では、全体として細長薄板状をなし、長手方向帯状に二分される、係止部材としての硬質部１ａと緩衝部材としての軟質部１ｂとからなる。本実施形態では、硬質部１ａと軟質部１ｂとは２色同時成形により一体のものとして成形される。
【００２５】
縁端部材１を硬質部１ａと軟質部１ｂとから構成するに際しては、両素材の境界である接触面を縁端部材１の厚さ方向に沿う面（即ち部材垂直断面）にしても良いし、素材が異なることを考慮し、両者の結合力を高めてはがれを防止するために硬質部１ａと軟質部１ｂとの接触面１ｃの面積を大きくするように工夫しても良い。具体的には、両者の接触面１ｃを、円弧形状にしたり（図３（Ａ））、楔形（及び逆楔形）にしたり（図３（Ｂ））、部材の厚さ方向に対して傾斜面にしたり（図３（Ｃ））することが考えられる。このような形状にすることによって部材の厚さ方向に沿う面（即ち部材垂直断面）の場合と比べて接触面積を増加させることができるので望ましい。なお、両者の接触面１ｃを円弧形状にすると硬質部１ａと軟質部１ｂとの接触面積が増加すると共に軟質部１ｂの曲がりに対して追従することができるので両者のはがれが防止され接触面の形状としてより望ましい。
【００２６】
なお、縁端部材１の成形は２色同時成形等による一体成形に限られない。すなわち、硬質部１ａと軟質部１ｂとを別々に成形した後に接着、溶着等によって結合させるようにしても良い。
【００２７】
硬質部１ａは、張地２の縁端部に取り付けられ、張力が付与されて張地２が枠体３に被せられた状態で枠体３に設けられた嵌合部としての凹溝３ａに嵌め込まれ、張地２の張力によって凹溝３ａに嵌め込まれた状態で係止部材として機能して張地２を枠体３に取り付けるものである。このため、硬質部１ａは、凹溝３ａに嵌め込まれた状態から抜けないように簡単には折り曲がらない程度の硬さを有する素材で形成される。具体的には、硬質部１ａは、所定の硬さを有する合成樹脂で形成され、例えばポリプロピレンによって形成される。
【００２８】
なお、本実施形態では、硬質部１ａが細長薄板状をなしていると共に枠体３側の嵌合部として細長薄板を嵌め込む凹溝３ａが形成されているようにしているが、硬質部１ａの嵌合の仕方、言い換えれば硬質部１ａと嵌合部３ａとの形状はこれに限られるものではない。具体的には例えば、硬質部１ａをコ字形部材にすると共に該コ字形部材を嵌め合わせる凸部を有する嵌合部３ａを枠体３に設けるようにしたり（図４（Ａ），（Ｂ））、硬質部１ａをＬ字形部材にすると共に該Ｌ字形部材を嵌め合わせる凹部を有する嵌合部３ａを枠体３に設けるようにしたり（図４（Ｃ））することが考えられる。
【００２９】
軟質部１ｂは、張地２が枠体３に取り付けられた状態で張地２と枠体３との間に介在して外物の衝突に対する緩衝部材として機能するものである。このため、軟質部１ｂは、少なくとも枠材３よりも柔らかく弾力性を有する素材で形成される。すなわち、比較的硬質な素材によって形成される枠体３と例えば机の天板などの外物とが衝き当たる際にこれらの間に挟まって張地２が損傷することを防ぐため、外物が衝き当たった際に自身が変形して（具体的には凹んで）張地２が受ける外物衝突の衝撃を緩和することができる弾力性を有する素材によって形成される。具体的には例えばエラストマー素材によって形成される。
【００３０】
なお、本実施形態では、硬質部１ａと軟質部１ｂとからなる縁端部材１全体として細長薄板状のものとして成形されているが、縁端部材１を取り付けた際に軟質部１ｂを載置する枠体３の形状に予め合わせておくようにしたり取り付けを容易にしたりすることを考慮し、縁端部材１全体としてＬ字形に成形したり（図５（Ａ））、Ｕ字形に成形したり（図５（Ｂ））するようにしても良い。
【００３１】
縁端部材１は、張地２の、枠材３に取り付けられた状態における裏面の周縁に沿って取り付けられる。また、縁端部材１は、縁端部材１の軟質部１ｂが張地２の内側を向くように配置された状態で、少なくとも硬質部１ａが張地２の縁端部に結合されることによって張地２に取り付けられる。なお、硬質部１ａ（及び軟質部１ｂ）の張地２への結合方法は特定の方法に限定されるものではなく、具体的には例えば縫合、接着、溶着等によって結合される。
【００３２】
このように配置されて取り付けられた硬質部１ａと軟質部１ｂとからなる縁端部材１により、枠体３を覆うと共に縁端部材１の硬質部１ａを枠体３に設けられた凹溝３ａに嵌め入れて係止させると、張地２と枠体３との間に軟質部１ｂを介在させた状態で張地２が枠体３に取り付けられる。
【００３３】
そして、これにより、軟質部１ｂが緩衝部材として機能して外物の衝突による衝撃を吸収して張地２に与えられるダメージを軽減することができる張地の保護構造が構成される。
【００３４】
なお、本発明においては、椅子の使用状態において外物と衝き当たる部分については少なくとも張地２と枠体３との間に縁端部材１の軟質部１ｂを介在させるようにしていれば良い。したがって、少なくとも外物と衝き当たる部分において軟質部１ｂを介在させるようにすれば良いとの観点から、張地２の周縁に沿って帯状に取り付けられた周縁部材１のうち硬質部１ａと共に軟質部１ｂを設けるようにする範囲を適宜設定したり、軟質部１ｂの長さ（即ち硬質部１ａからの延出長）を適宜設定したりすれば良い。すなわち、張地２の周縁に沿って取り付けられる係止部材としての硬質部１ａの全体に亘って軟質部１ｂを設けることは本発明の必須の要件ではなく、また、本発明において軟質部１ｂの長さが特定の長さに限定されるものではない。さらに、軟質部１ｂの厚みは、軟質部１ｂの素材を考慮して外物の衝突による衝撃を適切に吸収することができる程度の厚さに適宜調整されれば良く、特定の厚さに限定されるものではない。
【００３５】
以上のように構成された本発明の椅子の張地の保護構造によれば、張地２と枠体３との間に縁端部材１の軟質部１ｂを介在させるようにしているので、外物が衝き当たった場合には軟質部１ｂが衝撃を吸収して外物と枠体３とに挟まれる張地２に与えられるダメージを軽減することができ、張地の破れを防止して椅子の耐久性を向上させて良好な外観と快適な使用とを長期に亘って継続することが可能になる。
【００３６】
なお、上述の形態は本発明の好適な形態の一例ではあるがこれに限定されるものではなく、本発明の要旨を逸脱しない範囲において種々変形実施可能である。例えば、本実施形態では、図１に示す断面構造を有する枠体３を例に挙げて説明したが、本発明の椅子の張地の保護構造が適用され得る椅子の構成部品の断面はこれに限られるものではない。すなわち、枠体の断面構造並びに嵌合部３ａ（図１においては凹溝３ａ）の位置などが図１に示す構成と違う場合でも、縁端部材１を嵌め合わせる嵌合部３ａを有すると共に椅子の使用状態において外物と衝き当たる部分については少なくとも張地２と枠体３との間に縁端部材１の軟質部１ｂを介在させるようにすれば、本発明の効果を発揮することが可能である。
【図面の簡単な説明】
【００３７】
【図１】本発明の椅子の張地の保護構造の実施形態の一例を示す図で、縁端部材の軟質部が介在している部分の断面図である。
【図２】実施形態の椅子の張地の保護構造に用いる縁端部材の側面図である。
【図３】硬質部と軟質部との接触面の形状を説明する図である。
【図４】張地の縁端部材と枠体の嵌合部との形状を説明する図である。
【図５】軟質部の形状を説明する図である。
【図６】従来の張地の張設構造を示す斜視図である。
【図７】従来の張地の取り付け構造を示す断面図である。
【符号の説明】
【００３８】
１  縁端部材
１ａ  硬質部
１ｂ  軟質部
２  張地
３  枠体
３ａ  嵌合部（凹溝）
【図１】
2010119438.tif 000003
【図２】
2010119438.tif 000004
【図３】
2010119438.tif 000005
【図４】
2010119438.tif 000006
【図５】
2010119438.tif 000007
【図７】
2010119438.tif 000008
【図６】
2010119438.tif 000009